(57)【要約】【課題】高い防水性と高い放熱性とを同時に有するアレイアンテナ装置を提供する。【解決手段】第１方向Ａおよび第２方向Ｂに配列されている複数のアンテナ素子１と、第１方向および第２方向に交差する第３方向Ｃにおいて複数のアンテナ素子１の各々に対向して配置された複数のモジュール２と、第１方向Ａに延在して複数のモジュール２を冷却する第２方向に沿って並べられた第１部分３１，３３と、第１部分３１，３３で得た熱を放熱する第２部分３２，３４とをそれぞれ有する複数のヒートパイプ３と、複数のアンテナ素子１に面するフィドーム７と、フィドーム７とともに密閉空間を形成し、複数のアンテナ素子１、複数のモジュール２、および複数のヒートパイプ３を密閉空間に収容し、複数のヒートパイプ３の第２部分３２，３４と接して第２部分３２，３４から熱が伝えられる熱伝導部４ａを有するフレーム４とを備える。【選択図】図２
2017204728.tif 000002
【特許請求の範囲】
【請求項１】
第１方向および前記第１方向に交差する第２方向に配列されている複数のアンテナ素子と、
前記第１方向および前記第２方向に交差する第３方向において複数の前記アンテナ素子の各々に対向して配置され、前記アンテナ素子をそれぞれ励振する複数のモジュールと、
前記第１方向に延在して複数の前記モジュールを冷却する前記第２方向に沿って並べられた第１部分と、前記第１部分で得た熱を放熱する第２部分とをそれぞれ有する複数のヒートパイプと、
複数の前記アンテナ素子に面するフィドームと、
前記フィドームとともに密閉空間を形成し、複数の前記アンテナ素子、複数の前記モジュール、および複数の前記ヒートパイプを前記密閉空間に収容し、複数の前記ヒートパイプの前記第２部分と接して前記第２部分から熱が伝えられる熱伝導部を有するフレームと、
前記熱伝導部と接し、前記熱伝導部を冷却する放熱部とを備え、
複数の前記ヒートパイプは、前記第２部分の前記第１部分と接続しない側の端である終端が前記第１部分よりも前記第３方向の一方の側に位置する第１群のヒートパイプと、前記終端が前記第１部分よりも前記第３方向の前記一方の側とは反対の側に位置する第２群のヒートパイプとを含む、アレイアンテナ装置。
【請求項２】
前記第１方向からの側面視において、前記第１群のヒートパイプの前記第２部分および前記第２群のヒートパイプの前記第２部分の各々は、前記第２方向に沿って延びる直線に対して成す配向角度が９０度未満である、請求項１に記載のアレイアンテナ装置。
【請求項３】
前記第１群のヒートパイプの前記第２部分の前記配向角度は、前記第２群のヒートパイプの前記第２部分の前記配向角度と等しい、請求項２に記載のアレイアンテナ装置。
【請求項４】
前記複数のヒートパイプにおいて、それぞれの前記第１部分は前記第２方向に沿って互いに間隔を隔てて配置されており、かつ前記第１群のヒートパイプの前記第１部分と前記第２群のヒートパイプの前記第１部分とは前記第２方向に沿って交互に配置されている、請求項１〜３のいずれか１項に記載のアレイアンテナ装置。
【請求項５】
前記第２方向において隣り合うとともに、前記第３方向からの側面視において前記第２部分同士が重なっていない前記第１群のヒートパイプと前記第２群のヒートパイプとの前記第１部分間の間隔は、
前記第２方向において隣り合うとともに、前記第３方向からの側面視において前記第２部分同士が重なっている前記第１群のヒートパイプと前記第２群のヒートパイプとの前記第１部分間の間隔よりも短い、請求項４に記載のアレイアンテナ装置。
【請求項６】
前記第１方向は、鉛直方向に沿っている、請求項１〜５のいずれか１項に記載のアレイアンテナ装置。
【請求項７】
前記第１方向は、水平方向に沿っている、請求項１〜５のいずれか１項に記載のアレイアンテナ装置。
【発明の詳細な説明】
【技術分野】
【０００１】
本発明は、アレイアンテナ装置に関し、特に防水性が要求されるアレイアンテナ装置に関する。
【背景技術】
【０００２】
アレイアンテナ装置の冷却構造として、ヒートパイプによる熱輸送方式を採用したものが知られている。
【０００３】
特許文献１、２では、アンテナ素子、該アンテナ素子を励振するモジュールがアンテナフレーム内に収容されており、ヒートシンク（放熱手段）がアンテナフレームの外部に配置されている。この構成のアレーアンテナでは、モジュールにより生じた熱をヒートパイプがヒートシンクまで輸送し、ヒートシンクにより外部に放熱している。
【０００４】
従来のアレイアンテナ装置の冷却構造として、アンテナフレームにヒートパイプを挿入可能な貫通孔が形成されており、ヒートパイプにおいて当該貫通孔の外部に引き回された部分がヒートシンクに接続され、該ヒートシンクがブロアなどにより冷却されるものが知られている。
【先行技術文献】
【特許文献】
【０００５】
【特許文献１】特開平６−２９１５４３号公報
【特許文献２】特開平１１−３１７６１８号公報
【発明の概要】
【発明が解決しようとする課題】
【０００６】
しかしながら、上記のような冷却構造を備えるアレイアンテナ装置では、ヒートパイプが挿入されている上記貫通孔がアレイアンテナ装置の外部から内部への浸水経路となり得る。そのため、高い放熱性の実現が図られた従来のアレイアンテナ装置は、十分な防水性を有していないという問題があった。
【０００７】
本発明は上記のような課題を解決するためになされたものである。本発明の主たる目的は、高い防水性と高い放熱性とを同時に有しているアレイアンテナ装置を提供することにある。
【課題を解決するための手段】
【０００８】
本発明に係るアレイアンテナ装置は、第１方向および第１方向に交差する第２方向に配列されている複数のアンテナ素子と、第１方向および第２方向に交差する第３方向において複数のアンテナ素子の各々に対向して配置され、アンテナ素子をそれぞれ励振する複数のモジュールと、第１方向に延在して複数のモジュールを冷却する第２方向に沿って並べられた第１部分と、第１部分で得た熱を放熱する第２部分とをそれぞれ有する複数のヒートパイプと、複数のアンテナ素子に面するフィドームと、フィドームとともに密閉空間を形成し、複数のアンテナ素子、複数のモジュール、および複数のヒートパイプを密閉空間に収容し、複数のヒートパイプの第２部分と接して第２部分から熱が伝えられる熱伝導部を有するフレームと、熱伝導部と接し、熱伝導部を冷却する放熱部とを備える。複数のヒートパイプは、第２部分の第１部分と接続しない側の端である終端が第１部分よりも第３方向の一方の側に位置する第１群のヒートパイプと、終端が第１部分よりも第３方向の一方の側とは反対の側に位置する第２群のヒートパイプとを含む。
【発明の効果】
【０００９】
本発明によれば、高い防水性と高い放熱性とを同時に有しているアレイアンテナ装置を提供することができる。
【図面の簡単な説明】
【００１０】
【図１】実施の形態１に係るアレイアンテナ装置の構成を示す分解斜視図である。
【図２】実施の形態１に係るアレイアンテナ装置の構成を示す側面図である。
【図３】（ａ）図２中のＩＩＩ（ａ）−ＩＩＩ（ａ）線に沿う断面図である。（ｂ）図３（ａ）中の領域ＩＩＩ（ｂ）の部分拡大図である。
【図４】実施の形態１に係るアレイアンテナ装置のヒートパイプの構成を示す部分上面図である。
【図５】実施の形態１に係るアレイアンテナ装置の冷却構造を示す側面図である。
【図６】実施の形態１に係るアレイアンテナ装置のヒートパイプの構成を示す側面図である。
【図７】実施の形態１に係るアレイアンテナ装置のヒートパイプ、モジュール、および冷却板の位置関係を示す斜視図である。
【図８】実施の形態１に係るアレイアンテナ装置のヒートパイプとモジュールとの位置関係を示す斜視図である。
【図９】実施の形態１に係るアレイアンテナ装置のヒートパイプの構成を説明するための図である。
【図１０】実施の形態１に係るアレイアンテナ装置のヒートパイプの構成を説明するための図である。
【図１１】実施の形態１に係るアレイアンテナ装置のヒートパイプの構成の変形例を示す部分上面図である。
【図１２】実施の形態２に係るアレイアンテナ装置の構成を示す分解斜視図である。
【図１３】実施の形態２に係るアレイアンテナ装置の構成を示す側面図である。
【図１４】図１３中のＸＩＶ−ＸＩＶ線に沿う断面図である。
【図１５】図１４中の領域ＸＶの部分拡大図である。
【図１６】実施の形態２に係るアレイアンテナ装置のヒートパイプ、フレーム、および放熱部の接続関係を示す側面図である。
【図１７】実施の形態２に係るアレイアンテナ装置のヒートパイプとモジュールとの位置関係を示す斜視図である。
【図１８】実施の形態２に係るアレイアンテナ装置のヒートパイプとモジュールとの位置関係を示す斜視図である。
【発明を実施するための形態】
【００１１】
以下、図面を参照して、本発明の実施の形態について説明する。なお、以下の図面において同一または相当する部分には同一の参照番号を付しその説明は繰返さない。
【００１２】
（実施の形態１）
【００１３】
図１〜図１１を参照して、実施の形態１に係るアレイアンテナ装置１００について説明する。アレイアンテナ装置１００は、複数のアンテナ素子１と、複数のアンテナ素子１を励振する複数のモジュール２と、複数のモジュール２に生じた熱を吸収し移動させる複数のヒートパイプ３を含む冷却構造体と、複数のアンテナ素子１、複数のモジュール２および複数のヒートパイプ３などの冷却構造体の一部を内部に収容するフレーム４と、フィドーム７とを主に備える。フレーム４とフィドーム７とは、互いに接続されており、フレーム４の内部空間を外部空間に対して密閉された空間（以下、単に密閉空間という）を形成している。ここで、密閉空間とは、少なくとも外部空間との間で水の出入が防止されている空間をいう。
【００１４】
図１および図２に示されるように、複数のアンテナ素子１は、第１方向Ａおよび第１方向Ａに交差する第２方向Ｂに沿って配列されており、アレイアンテナを構成している。複数のアンテナ素子１は、観測空間に向いた面（前面）と、当該前面と反対側に位置する面（後面）とを有している。複数のアンテナ素子１の当該前面は、フィドーム７に面しており、フィドーム７を介して観測空間と仕切られている。フィドーム７は、複数のアンテナ素子１に面しており、電波を透過させるとともに、アレイアンテナと観測空間を隔てることにより、アレイアンテナを保護している。フィドーム７は、アレイアンテナを保護するために、複数のアンテナ素子１を覆うように設けられるか、または、複数のアンテナ素子１を内部に収容するフレーム４のアレイアンテナ前面に空けられた開口を塞ぐように設けられる。なお、以下において、第１方向Ａおよび第２方向Ｂに交差する第３方向Ｃにおける観測空間に向いた方向を前側、その反対方向を後側とする。また、実施の形態１に係るアレイアンテナ装置１００において、第１方向Ａは鉛直方向に沿った方向であり、第２方向Ｂおよび第３方向Ｃは水平方向に沿った方向である。第１方向Ａ、第２方向Ｂおよび第３方向Ｃは、互いに直交している。
【００１５】
図３に示されるように、複数のモジュール２は、第３方向Ｃにおいて、複数のアンテナ素子１と重なる位置に配置されている。複数のモジュール２の各々は、複数のアンテナ素子１の後側に配置されている。図５に示されるように、複数のモジュール２は、後述する冷却板６の第１方向Ａおよび第２方向Ｂに沿って延びる表面（第３方向Ｃに垂直な表面）と接触している面を有している。なお、図５においては、モジュール２に生じた熱を冷却するための冷却構造に関する主な部材のみを示す。図７および図８に示されるように、複数のモジュール２は、第１方向Ａおよび第２方向Ｂに沿って配列されている。
【００１６】
図８を参照して、複数のモジュール２の各々は、本体部２ａと、第３方向Ｃにおいて本体部２ａよりも前側に突出しているコネクタ２ｂと、後述する冷却板６に固定される固定部２ｃとを有している。本体部２ａは、第３方向Ｃにおいて前側に位置する前面が後述する冷却板６の後側に位置する後面と接続されている。１つのモジュール２のコネクタ２ｂの前側に位置する端部は、１つのアンテナ素子１の上記後面と接続されている。複数のモジュール２は、複数のアンテナ素子１と１対１の関係で接続されている。複数のコネクタ２ｂの各々は、後述する冷却板６に複数形成されているコネクタ用貫通孔（図示しない）に挿入されている。複数のコネクタ２ｂの各々は、例えば、第２方向Ｂにおいて、後述する冷却板６に形成されているヒートパイプ用貫通孔（図示しない）間に配置されている。複数の固定部２ｃの各々は、例えばネジなどを含み、当該ネジは後述する冷却板６に複数形成されているネジ穴（図示しない）に挿入され固定されている。異なる観点から言えば、複数のコネクタ２ｂおよび複数の固定部２ｃの各々は、例えば、第２方向Ｂにおいて、後述する複数のヒートパイプ３の第１部分３１，３３間に配置されている。モジュール２の後側に位置する後面は、背面扉８に面している。
【００１７】
複数のヒートパイプ３は、第１フレーム部４ａ（熱伝導部）、放熱部５および冷却板６とともに、モジュール２に生じた熱を冷却するための冷却構造体を構成している。図２〜図８に示されるように、複数のヒートパイプ３の各々は、第１方向Ａに沿って延在する第１部分３１，３３と、第１部分３１，３３と接続されておりかつ第１方向Ａに交差する方向（例えば垂直な方向）に沿って延在する第２部分３２，３４とを主に有している。図３（ｂ）に示されるように、複数のヒートパイプ３の各々は、第１部分３１，３３が第３方向Ｃにおいて複数のアンテナ素子１とモジュール２との間に配置されており、かつ第１部分３１，３３が第２方向Ｂに沿って配列されている。
【００１８】
図６に示されるように、複数のヒートパイプ３は、第１部分３１，３３および第２部分３２，３４の延在方向に沿った断面の形状が略Ｌ字状である。複数のヒートパイプ３の第１部分３１，３３および第２部分３２，３４は、例えば直線状に形成されたヒートパイプが曲げ加工されることにより形成されている。複数のヒートパイプ３は、延在方向に垂直な断面形状が例えば円形状である。
【００１９】
図３（ａ）、図３（ｂ）、図５、図７および図８に示されるように、複数のヒートパイプ３の各々は、第１部分３１，３３が冷却板６を介してモジュール２と接続されている。複数の第１部分３１，３３の各々は、少なくとも一部分が冷却板６に形成されているヒートパイプ用貫通孔（図示しない）に挿入されており、外周面がヒートパイプ用貫通孔の内周面と接続されている。第２部分３２，３４は、第１部分３１，３３の第１方向Ａにおいて上方に位置する一方端と接続されている。図５に示されるように、複数の第２部分３２，３４は、第１部分３１，３３を介して冷却板６と接続されているとともに、熱伝導接着剤１０を介して後述する第１フレーム部４ａと接合されている。
【００２０】
図３（ａ）、図３（ｂ）、図７および図８に示されるように、複数のヒートパイプ３は、アンテナ素子１およびモジュール２に対する位置関係により、主に第１群のヒートパイプ３ａと第２群のヒートパイプ３ｂとに分類され得る。第１群のヒートパイプ３ａの各々は第１部分３１、第２部分３２、および屈曲部分３５を有している。第２群のヒートパイプ３ｂの各々は第１部分３３、第２部分３４および屈曲部分３６を有している。
【００２１】
図３（ａ）および図３（ｂ）に示されるように、第１群のヒートパイプ３ａは、第２部分３２において第１部分３１と接続されている一端とは反対側に位置する他端が第１部分３１よりもアンテナ素子１側（前側）に位置している。第２群のヒートパイプ３ｂは、第２部分３４において第１部分３３と接続されている一端とは反対側に位置する他端が第１部分３３よりもアンテナ素子１側とは反対側、すなわちモジュール２側（後側）に位置している。
【００２２】
図３（ａ）および図３（ｂ）に示されるように、第１方向Ａからの側面視において、第２部分３２および第２部分３４は、第２方向Ｂに沿って延びる直線Ｅ（図４参照）に対して傾斜している。第１方向Ａからの側面視において、第２部分３２が第２方向Ｂに沿って延びる直線Ｅに対して成す配向角度および第２部分３４が第２方向Ｂに沿って延びる直線Ｅに対して成す配向角度は、好ましくは９０度未満である。第２部分３２，３４の配向角度とは、第２部分３２，３４の中心軸と当該直線Ｅとの成す角度のうち、小さい角をいう。第２部分３２の上記配向角度と第２部分３４の上記配向角度とは、例えばいずれも角度θ１で等しい。ここで、配向角度が等しいとは、両者の配向角度が完全に同一である場合と、両者の配向角度が完全に同一ではないが明らかに異なるとは言えない誤差程度（例えば±２％以内）で異なる場合との双方を含む。
【００２３】
図３（ａ）および図３（ｂ）に示されるように、第２方向Ｂにおいて、第１群のヒートパイプ３ａの第１部分３１間は、例えば等間隔に配置されている。同様に、第２方向Ｂにおいて、第２群のヒートパイプ３ｂの第１部分３３間は、例えば等間隔に配置されている。第１部分３１間の間隔Ｘは、例えば第１部分３３間の間隔Ｘと等しい。
【００２４】
図３（ａ）および図３（ｂ）に示されるように、第１群のヒートパイプ３ａの第１部分３１と第２群のヒートパイプ３ｂの第１部分３３とは、第２方向Ｂに沿って互いに間隔を隔てて交互に配置されている。第１部分３１，３３は、例えば後述するフレーム４およびフィドーム７により形成される密閉空間（第１フレーム部４ａ、第２フレーム部４ｂ、フィドーム７および背面扉８によって密閉された密閉空間）の第３方向Ｃにおける中央部を第２方向Ｂに沿って延びる直線Ｅ（図４参照）上に、互いに間隔を隔てて配列されている。第１部分３１と第１部分３３とは、第１間隔Ｘ１または第１間隔Ｘ１よりも長い第２間隔Ｘ２を隔てて配列されている。第１間隔Ｘ１と第２間隔Ｘ２との和は、上記第１部分３１間の間隔Ｘおよび第２部分３３間の間隔に相当する。
【００２５】
第２部分３２，３４は、第１フレーム部４ａの上記下面との接触面積が大きい方が好ましい。第２部分３２，３４は、第１部分３１，３３と接続されている一端と当該一端とは反対側に位置する他端との間の距離が長い方が好ましい。第２部分３２は、第１部分３１と接続されている一端と反対側に位置する他端が、第１フレーム部４ａの上記下面の第３方向Ｃにおいて前側に位置する前方端部と接続されているのが好ましい。第２部分３４は、第１部分３３と接続されている一端と反対側に位置する他端が、第１フレーム部４ａの上記下面の第３方向Ｃにおいて後側に位置する後方端部と接続されているのが好ましい。第２部分３２，３４の上記配向角度θ１は、小さい方が好ましい。なお、複数のヒートパイプ３のより詳細な構成は後述する。
【００２６】
第１フレーム部４ａ（熱伝導部）は、高い熱伝導率を有する高熱伝導フレームである。図１に示されるように、第１フレーム部４ａは、フレーム４の一部を構成している。フレーム４は、第１フレーム部４ａと、第２フレーム部４ｂと、背面扉８とを有している。第１フレーム部４ａを構成する材料は、熱伝導率が高い材料であり、例えばグラファイトを内蔵加工したアルミニウム（Ａｌ）である。第１フレーム部４ａは、第１方向Ａに沿う方向の熱伝導率が第２方向Ｂに沿う方向の熱伝導率以上であるのが好ましい。フレーム４において第１フレーム部４ａ以外の他の部分を構成する材料は、例えばＡｌである。
【００２７】
図１および図２に示されるように、第１フレーム部４ａは、第２方向Ｂに沿って延びるように形成されている。第１フレーム部４ａの第１方向Ａにおいて下方に位置する下面は、第１方向Ａに交差する方向に延びる面（例えば垂直な面）である。第２フレーム部４ｂは、第３方向Ｃから見たときに、コ字状に形成されている。第２フレーム部４ｂは、第１方向Ａに沿って延びる２つの部分が第２方向Ｂにおいて間隔を隔てて配置されており、両部分の下方端が第２方向Ｂに沿って延びる部分と接続されている。第２フレーム部４ｂの第１方向Ａに沿って延びる２つの部分の第１方向Ａに垂直な断面形状および第２フレーム部４ｂの第２方向Ｂに沿って延びる部分の第２方向Ｂに垂直な断面形状は、例えばコ字状である。第１フレーム部４ａの第２方向Ｂにおける一端および他端が第２フレーム部４ｂの第１方向Ａに沿って延びる２つ部分の各上方端と接続されている。第１フレーム部４ａと第２フレーム部４ｂとが接続されてなる構造体には、前側に位置する面および後側に位置する面上に開口部が形成されている。フレーム４は、上記構造体と背面扉８とが接続されることにより構成されており、上記構造体の後側に位置する面の開口部が背面扉８によって塞がれている。背面扉８は、第３方向Ｃから見たときの平面形状が当該開口部の平面形状よりも大きく、当該開口部を塞いでいる。
【００２８】
フレーム４は、前側に位置する面がフィドーム７と接続されている。フィドーム７は、第３方向Ｃから見たときの平面形状がフレーム４の前側に位置する面上に形成されている開口部の平面形状よりも大きく、当該開口部を塞いでいる。これにより、アレイアンテナ装置１００には、第１方向Ａおよび第２方向Ｂに沿った四方および第３方向Ｃにおける前後が、フレーム４およびフィドーム７によって外部空間と仕切られている密閉空間が形成されている。当該密閉空間には、アンテナ素子１、モジュール２、ヒートパイプ３、および冷却板６が収容される。第１フレーム部４ａの上記下面は当該密閉空間に面しており、複数のヒートパイプ３の第２部分３２，３４と接続されている。背面扉８は開閉可能である。背面扉８が開かれた状態では、モジュール２の後側に位置する後面が外部空間に露出される。
【００２９】
図１および図２に示されるように、放熱部５は、第１フレーム部４ａに接続されている。放熱部５は、第１フレーム部４ａの第１方向Ａにおいて上方に位置する面上に配置されている。すなわち、放熱部５は、上記密閉空間との外に配置されている。放熱部５は、第１フレーム部４ａから受けた熱を周囲の環境に放熱可能な任意の構成を備えていればよいが、例えばヒートシンクおよびファンを含んでいる。放熱部５は、例えば放熱グリス９を介して第１フレーム部４ａと接続されている。
【００３０】
図１、図５および図７に示されるように、冷却板６は、第１方向Ａおよび第２方向Ｂに沿って延び、かつ第３方向Ｃにおいて後側に位置する後面を有している。上述のように、冷却板６の当該後面は、モジュール２の本体部２ａの上記前面と接続されている。冷却板６には、第３方向Ｃに沿って延びるコネクタ用貫通孔が、第１方向Ａおよび第２方向Ｂにおいて互いに間隔を隔てて複数形成されている。さらに、冷却板６には、第１方向Ａに沿って延びるヒートパイプ用貫通孔が第２方向Ｂにおいて互いに間隔を隔てて複数形成されている。複数のコネクタ用貫通孔の各々には、モジュール２のコネクタ２ｂが挿入されている。複数のヒートパイプ用貫通孔の各々には、ヒートパイプ３の第１部分３１，３３が挿入されている。ヒートパイプ用貫通孔の内周面は、ヒートパイプ３の第１部分３１，３３の外周面と接続されている。冷却板６を構成する材料は、高い熱伝導率を有する任意の材料であればよいが、例えばＡｌである。
【００３１】
上記のような構成を備えるアレイアンテナ装置１００において、モジュール２に生じた熱は、以下のような経路を辿り、外部空間へ排熱される。モジュール２に生じた熱は、まず冷却板６に伝えられる。冷却板６に伝えられた熱は、冷却板６のヒートパイプ用貫通孔内に挿入された複数のヒートパイプ３の第１部分３１，３３に伝えられる。第１部分３１，３３に伝えられた熱は、第１部分３１，３３内の作動液に伝えられ、当該作動液を気化する。気化された作動液は第１方向Ａにおいて上方に位置する第２部分３２，３４に移動し、第２部分３２，３４および第２部分３２，３４と接続されている第１フレーム部４ａに放熱する。放熱した作動液は、再び液化し、第１部分３１，３３に移動する。第１フレーム部４ａの上記下面に伝えられた熱は、第１フレーム部４ａの上記上面と接続されている放熱部５によって外部空間に放熱される。
【００３２】
以上のように、アレイアンテナ装置１００は、第１方向Ａおよび第１方向Ａに交差する第２方向Ｂに配列されている複数のアンテナ素子１と、第１方向Ａおよび第２方向Ｂに交差する第３方向Ｃにおいて、複数のアンテナ素子１と重なる位置に配置され、アンテナ素子１を励振する複数のモジュール２と、モジュール２の熱を吸収する複数のヒートパイプ３と、密閉空間を有し、複数のアンテナ素子１、複数のモジュール２、および複数のヒートパイプ３を密閉空間に収容しているフレーム４とを備える。複数のヒートパイプ３の各々は、第１方向Ａに延在する第１部分３１，３３と、第１部分３１，３３と接続されており、かつ密閉空間に面しているフレーム４の内周面と接続されている第２部分３２，３４とを有している。複数のヒートパイプ３の各々は、第１部分３１，３３が第３方向Ａにおいて複数のアンテナ素子１と複数のモジュール２との間に配置され、かつ第１部３１，３３分が第２方向Ｂに配列されている。複数のヒートパイプ３は、第２部分３２において第１部分３１と接続されている一端と反対側に位置する他端が第１部分３１よりもアンテナ素子１側に位置している第１群のヒートパイプ３ａと、第２部分３４における他端が第１部分３３よりもアンテナ素子１側とは反対側に位置している第２群のヒートパイプ３ｂとを含む。アレイアンテナ装置１００は、フレーム４の一部分（第１フレーム部４ａ）を介して第２部分３２，３４と接続されている放熱部５をさらに備える。
【００３３】
そのため、アレイアンテナ装置１００によれば、フレーム４（第１フレーム部４ａ）を介してヒートパイプ３の第２部分３２，３４と放熱部５とが接続されており、フレーム４にヒートパイプ３を通すための貫通孔が形成されていない。そのため、フレーム４の外部から内部への当該貫通孔を伝った浸水が防止されており、アレイアンテナ装置１００は、従来のアレイアンテナ装置と比べて、フレーム４内のアンテナ素子１、モジュール２などに対する防水性が高められている。さらに、第１群のヒートパイプ３ａの第２部分３２と第２群のヒートパイプ３ｂの第２部分３４が高密度に配置されているため、従来のアレイアンテナ装置と比べて、第１フレーム部４ａとヒートパイプ３の第２部分３２，３４との接触面積が大きく、ヒートパイプ３から第１フレーム部４ａへの熱伝導効率が高められている。そのため、モジュール２に生じた熱（フレーム４の内部に生じた熱）は、ヒートパイプ３から第１フレーム部４ａおよび放熱部５を経てフレーム４の外部へ効率的に放熱され得る。つまり、アレイアンテナ装置１００は、高い防水性と高い放熱性とを同時に有している。
＜ヒートパイプ３の構成例＞
【００３４】
次に、図３（ａ）、（ｂ）および図４を参照して、上述したヒートパイプ３の好適な構成例を説明する。図４は、図３（ａ）および図３（ｂ）に示されるアレイアンテナ装置１００の好適な構成例を示す概略図であり、ヒートパイプ３以外の構成部品の図示が省略されている。図４中の幅Ｄは、図１、図２および図５に示される第１フレーム部４ａの第３方向Ｃにおける間隔である。図４中の一点鎖線Ｅは、第１フレーム部４ａの第３方向Ｃにおける中心を通り、第２方向Ｂに沿って延びる中心線である。上述のように、複数のヒートパイプ３の各々は同等の構造を有している。第１部分３１，３３は、第３方向Ｃにおいて後述するフレーム４の密閉空間の中央部を第２方向Ｂに沿って延びる直線Ｅ（図４参照）上に、互いに間隔を隔てて配列されている。第２部分３２，３４の上記他端は第１フレーム部４ａの上記下面の上記前方端部または上記後方端と接続されているものとする。このとき、第１群のヒートパイプ３ａのうちの１つの第１ヒートパイプ３ａ１と、第２群のヒートパイプ３ｂのうち第２方向Ｂにおいて当該第１ヒートパイプ３ａ１を挟んで隣り合う第２ヒートパイプ３ｂ１および第３ヒートパイプ３ｂ２とを考える。
【００３５】
第１ヒートパイプ３ａ１の第２部分３２において第１部分３１に接続されている上記一端を含む一部と、第３ヒートパイプ３ｂ２の第２部分３４において第１部分３３に接続されている上記一端を含む一部とは、第３方向Ｃにおいて重なるように配置されている。異なる観点から言えば、第１ヒートパイプ３ａ１の第２部分３２の上記一端に対し、当該第２部分３２の当該一端と反対側に位置する上記他端と、第２ヒートパイプ３ｂ１の第２部分３４の上記一端とは、鈍角を成している。
【００３６】
第１ヒートパイプ３ａ１の第２部分３２の上記一端を含む一部と、第２ヒートパイプ３ｂ１の第２部分３４の上記一端を含む一部とは、第３方向Ｃにおいて重なるように配置されていない。異なる観点から言えば、第１ヒートパイプ３ａ１の第２部分３２における上記一端に対して、第１ヒートパイプ３ａ１の上記他端と第３ヒートパイプ３ｂ２の第２部分３４における上記一端とが鋭角を成している。
【００３７】
言い換えると、第１ヒートパイプ３ａ１の第２部分３２の中心軸は、第１ヒートパイプ３ａ１の第１部分３１の中心軸と第２ヒートパイプ３ｂ１の第１部分３３の中心軸とを結ぶ線分とは鈍角を成しており、第１ヒートパイプ３ａ１の第１部分３１の中心軸と第３ヒートパイプ３ｂ２の第１部分３３の中心軸とを結ぶ線分とは鋭角を成している。
【００３８】
第１ヒートパイプ３ａ１と第２ヒートパイプ３ｂ１との第２方向Ｂにおける第１間隔Ｘ１は、第１ヒートパイプ３ａ１と第３ヒートパイプ３ｂ２との第２方向Ｂにおける第２間隔Ｘ２よりも短い。ここで、間隔とは、ヒートパイプの延在方向（第１方向Ａ）に垂直な断面における中心間の間隔を言う。第１ヒートパイプ３ａ１、第２ヒートパイプ３ｂ１および第３ヒートパイプ３ｂ２の外径をΦｄとすると、第１ヒートパイプ３ａ１、第２ヒートパイプ３ｂ１および第３ヒートパイプ３ｂ２は、Φｄ≦Ｘ１＜Ｘ２なる関係式（１）を満足する。
【００３９】
第１ヒートパイプ３ａ１、第２ヒートパイプ３ｂ１および第３ヒートパイプ３ｂ２は、外径Φｄが等しい。第１ヒートパイプ３ａ１、第２ヒートパイプ３ｂ１および第３ヒートパイプ３ｂ２は、Φｄ＜Ｘ２×ｓｉｎθ１なる関係式（２）を満足する。好ましくは、第１ヒートパイプ３ａ１、第２ヒートパイプ３ｂ１および第３ヒートパイプ３ｂ２は、２Φｄ≧Ｘ２×ｓｉｎθ１なる関係式を満足する。より好ましくは、第１ヒートパイプ３ａ１、第２ヒートパイプ３ｂ１および第３ヒートパイプ３ｂ２はΦｄ≒Ｘ２×ｓｉｎθ１なる関係式（３）を満足する。当該関係式（３）を満足する場合、上記配向角度θ１は最小値となり、第１ヒートパイプ３ａ１の第２部分３２と第２ヒートパイプ３ｂ１の第２部分３４とは接触している。この場合、複数のヒートパイプ３は最密に配置され得る。
【００４０】
なお、図３（ｂ）を参照して、第２群のヒートパイプ３ｂのうち第３ヒートパイプ３ｂ２と隣り合うとともに、第３ヒートパイプ３ｂ２に対して第２ヒートパイプ３ｂ１とは反対側に位置する第４ヒートパイプ３ｂ３を考える。第４ヒートパイプ３ｂ３の第２部分３４は、第４ヒートパイプ３ｂ３の第１部分３３と接続されていない他端側に位置する一部が、第１ヒートパイプ３ａ１の第２部分３２の上記一端を含む一部と第３方向Ｃにおいて重なるように形成されている。
【００４１】
図４を参照して、第１ヒートパイプ３ａ１、第２ヒートパイプ３ｂ１および第３ヒートパイプ３ｂ２の第２部分３２，３４の延在方向における長さＬ１として、第２部分３２，３４において第１部分３１，３３と第１方向Ａに重ならない部分の長さ、言い換えると第２部分３２，３４の最長長さからヒートパイプ３の外径を引いた長さを考える。また、後述する上記密閉空間の第３方向Ｃにおける幅Ｄ、すなわち、第１フレーム部４ａの上記前方端部と上記下方端部との第３方向Ｃにおける幅Ｄを考える。複数のヒートパイプ３は、上記密閉空間に収容されるため、ヒートパイプ３の寸法は上記幅Ｄの制約を受ける。第１ヒートパイプ３ａ１、第２ヒートパイプ３ｂ１および第３ヒートパイプ３ｂ２は、Ｌ１×ｓｉｎθ１≦（Ｄ−Φｄ）／２なる関係式（４）を満足する。好ましくは、（Ｄ−Φｄ）／２×０．９０≦Ｌ１×ｓｉｎθ１≦（Ｄ−Φｄ）／２なる関係式を満足する。より好ましくは、Ｌ１×ｓｉｎθ１≒（Ｄ−Φｄ）／２なる関係式（５）を満足する。つまり、上記関係式（３）および（５）から、複数のヒートパイプ３は、Ｌ１≒Ｘ２×（Ｄ−Φｄ）／２Φｄなる関係式（６）を満足する。当該関係式（６）を満足するように配置された複数のヒートパイプ３の第２部分３２，３４は、後述する他の構成として図９に示される上記幅Ｄの上記密閉空間に等間隔に配置された第２部分３２，３４と比べて、最長化されている。
【００４２】
具体的には、図９に示されるように、第１部分３１間および第１部分３３間が等間隔Ｘに配置されるとともに、第１部分３１と第１部分３３とが等間隔Ｘ０（＝Ｘ／２）に配置されており、かつ配向角度θ２である第２部分３２，３４同士が接触するように最密に配置されている場合、各ヒートパイプ３はΦｄ≒Ｘ０×ｓｉｎθ2なる関係式（７）を満足する。そして、第２部分３２，３４の延在方向における長さＬ２は、Ｌ２≒Ｘ０×（Ｄ−Φｄ）／２Φｄなる関係式（８）を満足する。ここで、図４および図９に示される各構成において、第１部分３１間および第１部分３３間の間隔Ｘは等しいため、Ｘ１＋Ｘ２＝２Ｘ０であり、上記関係式（１）からＸ２＞Ｘ０である。よって、上記関係式（６）および（８）から、図４および図５に示される第２部分３２，３４の長さＬ１は、図９に示される第２部分３２，３４の長さＬ２よりも長い。
【００４３】
つまり、複数のヒートパイプ３が上記関係式（６）を満足する場合、複数のヒートパイプ３は最密に配置され、かつ各ヒートパイプ３の第２部分３２，３４は最長化されている。そのため、このようなアレイアンテナ装置１００によれば、各ヒートパイプ３の第２部分３２，３４と第１フレーム部４ａとの接触面積が最大化されており、ヒートパイプ３から第１フレーム部４ａへの熱伝導効率が高められている。
【００４４】
上述のように、アレイアンテナ装置１００は、第１方向Ａからの側面視において、第１群のヒートパイプ３ａの第２部分３２および第２群のヒートパイプ３ｂの第２部分３４の各々は、第２方向Ｂに沿って延びる直線Ｅ（図４参照）に対して成す配向角度が９０度未満であるのが好ましい。複数のヒートパイプ３は上記関係式（４）を満足する。そのため、上記幅Ｄを所定の値としたときに、上記配向角度θ１が９０度未満である第２部分３２，３４は、上記配向角度が９０度である第２部分３２，３４と比べて、延在方向における長さが長い。そのため、配向角度が９０度未満であるアレイアンテナ装置１００は、配向角度が９０度である第２部分を有するアレイアンテナ装置１００と比べて、第３方向Ｃへの大型化が抑制されながらも高い放熱性を有している。そのため、アレイアンテナ装置１００は、第１方向Ａおよび第２方向Ｂにおいて大型であり、かつ第３方向Ｃにおいて小型（薄型）のフェ−ズドアレイアンテナに好適である。
【００４５】
上記アレイアンテナ装置１００は、第１群のヒートパイプ３ａの第２部分３２の上記配向角度と第２群のヒートパイプ３ｂの第２部分３４の上記配向角度とが等しく形成されているのが好ましい。この場合、複数のヒートパイプ３の第２部分３２，３４は、それぞれの配向角度が異なる場合と比べて、より密に配置され得る。そのため、当該アレイアンテナ装置１００は、第２部分３２の配向角度と第２部分３４の配向角度とが互いに異なるアレイアンテナ装置１００と比べて、高い放熱性を有している。
【００４６】
上記アレイアンテナ装置１００は、複数のヒートパイプ３の第１部分３１，３３が第２方向Ｂに沿って互いに間隔を隔てて配置されており、かつ第１群のヒートパイプ３ａの第１部分３１と第２群のヒートパイプ３ｂの第１部分３３とは第２方向Ｂに沿って交互に配置されているのが好ましい。このような複数のヒートパイプ３は、第１部分３１と第１部分３３とが第２方向Ｂに沿って交互に配置されていない場合と比べて、密に配置され得る。そのため、当該アレイアンテナ装置１００は、第１部分３１と第１部分３３とが第２方向Ｂに沿って交互に配置されていないアレイアンテナ装置１００と比べて、高い放熱性を有している。
【００４７】
上記アレイアンテナ装置１００は、第１群のヒートパイプ３ａのうちの１つの第１ヒートパイプ３ａ１と、第１ヒートパイプ３ａ１を挟んで隣り合う第２群のヒートパイプ３ｂのうちの第２ヒートパイプ３ｂ１および第３ヒートパイプ３ｂ２とを含んでいる。第１ヒートパイプ３ａ１の第２部分３２における上記一端に対して、第１ヒートパイプ３ａ１の他端と第２ヒートパイプ３ｂ１の第２部分３４における上記一端とが鈍角を成している。第１ヒートパイプ３ａ１の第２部分３２における上記一端に対して、第１ヒートパイプ３ａ１の上記他端と第３ヒートパイプ３ｂ２の第２部分３４における上記一端とが鋭角を成している。上記第１ヒートパイプ３ａ１と第２ヒートパイプ３ｂ１との第２方向Ｂにおける第１間隔Ｘ１は、第１ヒートパイプ３ａ１と第３ヒートパイプ３ｂ２との第２方向Ｂにおける第２間隔Ｘ２よりも短いのが好ましい。このようにすれば、複数のヒートパイプ３は第２方向Ｂに対する配向角度θ１が十分に小さく、第２部分３２，３４の延在方向における長さが十分に長く形成され得る。そのため、アレイアンテナ装置１００は、第１フレーム部４ａとヒートパイプ３の第２部分３２，３４との接触面積が大きくされ得る。
【００４８】
＜他の構成例＞
【００４９】
図９、図１０、図１１（ａ）および図１１（ｂ）は、図３（ａ）および図３（ｂ）に示されるアレイアンテナ装置１００の他の構成例を示す概略図であり、ヒートパイプ３以外の構成部品の図示が省略されている。図９に示されるように、第１群のヒートパイプ３ａと第２群のヒートパイプ３ｂとは、第１部分３１と第１部分３３とが間隔Ｘ０を隔てて等間隔に配置されていてもよい。このとき、複数のヒートパイプ３は、上記関係式（７）を満足するのが好ましい。図９に示される複数のヒートパイプ３を備えるアレイアンテナ装置は、フレーム４にヒートパイプ３を通すための貫通孔が形成されていないため、高い防水性を有している。また、当該アレイアンテナ装置は、上述のように、図１〜図４に示されるアレイアンテナ装置１００と比べると複数のヒートパイプ３と第１フレーム部４ａとの接触面積が小さいものの、モジュール２の放熱構造として十分な放熱性を有している。つまり、図９に示される複数のヒートパイプ３を備えるアレイアンテナ装置は、高い防水性と高い放熱性とを同時に有している。
【００５０】
図１０、図１１（ａ）および図１１（ｂ）に示されるように、第１群のヒートパイプ３ａと第２群のヒートパイプ３ｂとは、それぞれが第２方向Ｂに沿って交互に並べられていなくてもよい。図１０および図１１に示されるように、第２方向Ｂにおいて隣り合う第１群のヒートパイプ３ａの第２部分３２同士が接触し、かつ第２方向Ｂにおいて隣り合う第２群のヒートパイプ３ｂの第２部分３５同士が接触するように構成されていてもよい。図１０では、説明の便宜上、第２群のヒートパイプ３ｂのみを図示するが、第１群のヒートパイプ３ａについても同様に説明できる。
【００５１】
図１１（ａ）および図１１（ｂ）に示されるように、第１群のヒートパイプ３ａの第１部分３１の中心は第２方向Ｂに沿って延びる直線Ｆ上に互いに間隔を隔てて配置されており、第２群のヒートパイプ３ｂの第１部分３３の中心は、第２方向Ｂに沿って延び、かつ第３方向Ｃにおいて直線Ｆと間隔を隔てている直線Ｇ（図１１参照）上に互いに間隔を隔てて配置されていてもよい。
【００５２】
図１０、図１１（ａ）および図１１（ｂ）に示されるように、隣り合う第２群のヒートパイプ３ｂの第１部分３３間の中心間の間隔Ｘ０、第２方向Ｂに対して第２部分３４の延在方向が成す配向角度θ３、ヒートパイプ３ｂの外径ΦｄがΦｄ＝Ｘ０×ｓｉｎθ３なる関係式（９）を満足するときに、第２群のヒートパイプ３ｂは最密に配置されている。言い換えると、上記関係式を満足するときに、隣り合う第２群のヒートパイプ３ｂの第２部分３４は、それらの一部同士が互いに接続されている。同様に、隣り合う第１群のヒートパイプ３ａの第１部分３１間の中心間の間隔Ｘ０、第２方向Ｂに対して第２部分３２の延在方向が成す配向角度θ３、ヒートパイプ３ａの外径Φｄが上記関係式（８）を満足するときに、第１群のヒートパイプ３ａは最密に配置されている。
【００５３】
このとき、図１１（ａ）に示されるように、第１群のヒートパイプ３ａと第２群のヒートパイプ３ｂとは、第３方向Ｃにおいて第１部分３１と第１部分３３とが重なるように配置されていてもよい。また、図１１（ｂ）に示されるように、第１群のヒートパイプ３ａと第２群のヒートパイプ３ｂとは、第３方向Ｃにおいて第１部分３１と第１部分３３とが重ならないように配置されていてもよい。
【００５４】
上記関係式（８）から、間隔Ｘ０が大きい程、配向角度θ３が小さくなり、ヒートパイプ３は密に配置され得る。また、複数のヒートパイプ３の第２部分３２，３４の長さＬ３は、Ｌ３×ｓｉｎθ３≦（Ｄ−２Φｄ）／２なる関係式（８）を満足する。好ましくは、Ｌ３×ｓｉｎθ３≒Ｄ／２−Φｄなる関係式（９）を満足する。このようにすれば、第２部分３２，３４の延在方向における長さが十分に長く形成され得る。そのため、図１１（ａ）および図１１（ｂ）に示される構成を備えるアレイアンテナ装置１００によっても、第１フレーム部４ａとヒートパイプ３の第２部分３２，３４との接触面積が大きくされ得る。
【００５５】
なお、複数のヒートパイプ３は、延在方向に垂直な断面形状が扁平形状であってもよい。この場合、ヒートパイプ３の当該断面における長軸方向が、第１フレーム部４ａの密閉空間に面している上記下面の延在方向（例えば第２方向Ｂおよび第３方向Ｃに沿った方向）と沿うように配置されているのが好ましい。この場合、上記関係式におけるヒートパイプ３の外径Φｄは、上記長軸方向における外径である。
【００５６】
また、アレイアンテナ装置１００において、第１群のヒートパイプ３ａと第２群のヒートパイプ３ｂとは、例えば第２方向Ｂに沿って任意の周期で配置されていてもよい。例えば、第１群のヒートパイプ３ａは、第２方向Ｂに沿って複数本連続して配置されている第２群のヒートパイプ３ｂを、第２方向Ｂにおいて挟むように配置されていてもよい。
【００５７】
また、アレイアンテナ装置１００，１０１において、第２部分３２が第２方向Ｂに沿って延びる直線に対して成す配向角度と第２部分３４が第２方向Ｂに沿って延びる直線に対して成す配向角度とは異なっていてもよい。
【００５８】
また、アレイアンテナ装置１００，１０１において、複数のヒートパイプ３は、複数のモジュール２よりも後側に配置されていてもよい。複数のヒートパイプ３および冷却板６は、上記密閉空間の内部に収容され、モジュール２に接続している限りにおいて、複数のモジュール２よりも後側に配置されていてもよい。
【００５９】
また、アレイアンテナ装置１００，１０１において、フレーム４は開閉可能な背面扉８を備えていなくてもよい。アレイアンテナ装置１００，１０１の上記密閉空間は、前側に位置する面にのみ開口部が形成されて後側に位置する面に開口部が形成されていないフレーム４と、前側に位置する面上に形成された開口部を塞ぐフィドーム７とによって形成されていてもよい。
【００６０】
（実施の形態２）
【００６１】
次に、図１２〜図１８を参照して、実施の形態２に係るアレイアンテナ装置１０１について説明する。図１２〜図１８に示されるように、実施の形態２に係るアレイアンテナ装置１０１は、基本的には実施の形態１に係るアレイアンテナ装置１００と同様の構成を備えるが、第１方向Ａが水平方向に沿って延びる方向であり、第２方向Ｂが鉛直方向に沿って延びる方向である点で異なる。また、アレイアンテナ装置１０１は、複数のヒートパイプ３が第１方向Ａにおいて２列に並んで配列されている点、および水平方向に沿った第１方向Ａにおけるフレーム４の両端部上にそれぞれ２つの高熱伝導フレーム（第３フレーム部４ｃおよび第４フレーム部４ｄ）および放熱部５が形成されている点で異なる。
【００６２】
図１８に示されるように、複数のヒートパイプ３は、水平方向に沿った方向である第１方向Ａにおいて、第３群のヒートパイプ３ｃと第４群のヒートパイプ３ｄとにさらに分類され得る。第３群のヒートパイプ３ｃおよび第４群のヒートパイプ３ｄの各々は、鉛直方向に沿った方向である第２方向Ｂに配列された第１群のヒートパイプ３ａおよび第２群のヒートパイプ３ｂを有している。
【００６３】
第３群のヒートパイプ３ｃおよび第４群のヒートパイプ３ｄにおける、第１群のヒートパイプ３ａおよび第２群のヒートパイプ３ｂの第２方向Ｂに対する配向角度および第２方向Ｂにおける上記間隔などについては、基本的には実施の形態１と同等である。すなわち、図１５に示されるように、第１ヒートパイプ３ａ１と第２ヒートパイプ３ｂ１との第２方向Ｂにおける第１間隔Ｘ１は、第１ヒートパイプ３ａ１と第３ヒートパイプ３ｂ２との第２方向Ｂにおける第２間隔Ｘ２よりも短い。第１方向Ａからの側面視において、第２部分３２が第２方向Ｂに沿って延びる直線に対して成す配向角度および第２部分３４が第２方向Ｂに沿って延びる直線に対して成す配向角度は、好ましくは９０度未満である。第２部分３２の上記配向角度と第２部分３４の上記配向角度とは、例えばいずれも角度θで等しい。
【００６４】
図１４、図１５および図１８に示されるように、第３群のヒートパイプ３ｃおよび第４群のヒートパイプ３ｄにおいて、第１群のヒートパイプ３ａおよび第２群のヒートパイプ３ｂは、第２方向Ｂにおいて交互に配列されている。第３群のヒートパイプ３ｃにおいて、第２方向Ｂにおける最も上方には第１群のヒートパイプ３ａが配置され、最も下方に第２群のヒートパイプ３ｂが配置されている。第４群のヒートパイプ３ｄにおいて、第２方向Ｂにおける最も上方には第２群のヒートパイプ３ｂが配置され、最も下方に第１群のヒートパイプ３ａが配置されている。つまり、第３群のヒートパイプ３ｃにおける第２群のヒートパイプ３ｂ、および第４群のヒートパイプ３ｄにおける第１群のヒートパイプ３ａは、熱源であるモジュール２と冷却板６を介して接続されている第１部分３１，３３が第３フレーム部４ｃおよび第４フレーム部４ｄと接続されている第２部分３２，３４よりも上方に配置されているため、いわゆるトップヒートモードで使用される。そのため、第３群のヒートパイプ３ｃにおける第２群のヒートパイプ３ｂ、および第４群のヒートパイプ３ｄにおける第１群のヒートパイプ３ａは、焼結金属からなるウイックを有しているのが好ましい。
【００６５】
第３群のヒートパイプ３ｃの第１部分３１と第４群のヒートパイプ３ｄの第１部分３３とは、例えば第１方向Ａからの側面視において、重なるように配置されている。図１８に示されるように、第３群のヒートパイプ３ｃの第１部分３１と第４群のヒートパイプ３ｄの第１部分３３とは、例えば第１方向Ａにおいて互いに間隔を隔てて配置されている。第３群のヒートパイプ３ｃの第１部分３３と第４群のヒートパイプ３ｄの第１部分３１とは、例えば第１方向Ａからの側面視において、重なるように配置されている。第３群のヒートパイプ３ｃの第１部分３３と第４群のヒートパイプ３ｄの第１部分３１とは、例えば第１方向Ａにおいて互いに間隔を隔てて配置されている。
【００６６】
第３フレーム部４ｃおよび第４フレーム部４ｄは、基本的に第１フレーム部４ａと同様の構成を備えており、かつ互いに同等の構成を備えている。
【００６７】
第３群のヒートパイプ３ｃの第２部分３２，３４は、熱伝導接着剤１０を介して第３フレーム部４ｃと接合されている。第４群のヒートパイプ３ｄの第２部分３２，３４は、熱伝導接着剤１０を介して第４フレーム部４ｄと接合されている。
【００６８】
このようにしても、アレイアンテナ装置１０１は、基本的に実施の形態１に係るアレイアンテナ装置１００と同様の構成を備えているため、フレーム４にヒートパイプ３を通すための貫通孔が形成されておらず、フレーム４の外部から内部への当該貫通孔を伝った浸水が防止されている。さらに、第１群のヒートパイプ３ａの第２部分３２と第２群のヒートパイプ３ｂの第２部分３４が高密度に配置されているため、第３フレーム部４ｃと第３群のヒートパイプ３ｃの第２部分３２，３４との接触面積および第４フレーム部４ｄと第４群のヒートパイプ３ｄの第２部分３２，３４との接触面積が大きく、ヒートパイプ３から第３フレーム部４ｃおよび第４フレーム部４ｄへの熱伝導効率が高められている。その結果、アレイアンテナ装置１０１は、高い防水性と高い放熱性とを同時に有している。
【００６９】
なお、アレイアンテナ装置１０１は、第３群のヒートパイプ３ｃおよび第４群のヒートパイプ３ｄにおいて、第２方向Ｂにおける最も上方には第１群のヒートパイプ３ａが配置され、最も下方に第２群のヒートパイプ３ｂが配置されていてもよい。このようにしても、上記アレイアンテナ装置１０１と同様の効果を奏することができる。
【００７０】
アレイアンテナ装置１０１は、アレイアンテナ装置１００と同様に、上述した他の構成例を備えていてもよい。例えば、アレイアンテナ装置１０１の複数のヒートパイプ３は図９〜図１１に示されるような構成を備えていてもよい。このようにしても、上記アレイアンテナ装置１０１と同様の効果を奏することができる。
【００７１】
以上のように本発明の実施の形態について説明を行ったが、上述の実施の形態を様々に変形することも可能である。また、本発明の範囲は上述の実施の形態に限定されるものではない。本発明の範囲は、特許請求の範囲によって示され、特許請求の範囲と均等の意味および範囲内でのすべての変更を含むことが意図される。
【符号の説明】
【００７２】
１  アンテナ素子、２  モジュール、２ａ  本体部、２ｂ  コネクタ、２ｃ  固定部、３，３ａ，３ｂ，３ｃ，３ｄ  ヒートパイプ、４  フレーム、４ａ  第１フレーム部、４ｂ  第２フレーム部、４ｃ  第３フレーム部、４ｄ  第４フレーム部、５  放熱部、６  冷却板、７  フィドーム、８  背面扉、９  放熱グリス、１０  熱伝導接着剤、３１，３３  第１部分、３２，３４  第２部分、１００，１０１  アレイアンテナ装置。 
【図１】
2017204728.tif 000003
【図２】
2017204728.tif 000004
【図３】
2017204728.tif 000005
【図４】
2017204728.tif 000006
【図５】
2017204728.tif 000007
【図６】
2017204728.tif 000008
【図７】
2017204728.tif 000009
【図８】
2017204728.tif 000010
【図９】
2017204728.tif 000011
【図１０】
2017204728.tif 000012
【図１１】
2017204728.tif 000013
【図１２】
2017204728.tif 000014
【図１３】
2017204728.tif 000015
【図１４】
2017204728.tif 000016
【図１５】
2017204728.tif 000017
【図１６】
2017204728.tif 000018
【図１７】
2017204728.tif 000019
【図１８】
2017204728.tif 000020